(57)【要約】      （修正有）【課題】手で溶接面を支持する必要がなく両手での作業を可能とし、かつ、不要な位置ズレの発生を防ぎ、また溶接個所に応じた位置調節を容易に行うことのできる溶接防護面ホルダー及びこれを備えた溶接防護面構造を提供する。【解決手段】溶接作業箇所に自立設置する自立架台１と、防護面の上部にて防護面を転回可能に支持する支持構造２と、支持構造による防護面の支持角度を、防護面の使用状態及び非使用状態の少なくとも２つの状態に対応した支持角度を保持するための角度保持構造３とを具備してなる。【選択図】図３
0003165947.tif 000002
【実用新案登録請求の範囲】
【請求項１】
溶接作業箇所に自立設置する自立架台（１）と、防護面（４）の上部にて防護面（４）を転回可能に支持する支持構造（２）と、支持構造（２）による防護面（４）の支持角度を、防護面（４）の使用状態及び非使用状態の少なくとも２つの状態に対応した支持角度を保持するための角度保持構造（３）とを具備してなることを特徴とする防護面ホルダー。
【請求項２】
前記角度保持構造（３）は、防護面（４）の上部にて面の幅方向に沿う回転軸（２２Ａ）の少なくとも片側の端部付近から突出した折曲片（３１）を有し、回転軸（２２Ａ）を中心として回転したとき、折曲片（３１）の一側部及び他側部が、防護面（４）のうち回転軸（２２Ａ）を境とした対称位置のそれぞれ一方及び他方に当接することで、使用状態、非使用状態の２状態での支持角度を保持する請求項１記載の防護面ホルダー。
【請求項３】
前記支持構造（２）は、回転軸（２２Ａ）を略水平方向に保持する水平保持機構（２２，２３）と、水平保持機構（２２，２３）を下方から支持する下方支持機構（２１）とからなり、下方支持機構（２１）は自立架台（１）に対して第二角度保持構造（３２）を介して角度調整可能に取り付けられる請求項1又は２記載の防護面ホルダー。
【請求項４】
前記自立架台（１）は、設置面に静止して固定される設置面固定手段（１１）を有する請求項1、２又は３のいずれか記載の防護面ホルダー。
【請求項５】
請求項１〜４のいずれか記載の防護面ホルダーと溶接防護面（４）とを備えてなる溶接防護構造。
【考案の詳細な説明】
【技術分野】
【０００１】
本考案は、溶接作業時の有害光線から目を護るため、或いは各種作業時の飛散物から顔面を護るために、防護面を取り付けて使用する防護面ホルダーに関する。また前記防護面ホルダーに溶接用の防護面を取り付けた溶接防護構造に関する。
【背景技術】
【０００２】
従来の溶接面として例えば、防護面の表側に素ガラスと着脱可能な素ガラス押えとハンドルを装着したものが開示される（特許文献１参照）。これは具体的には、フレームガイドと上方ストッパーと下方ストッパーを一体でスライドベースに設け、そのスライドベースに遮光ガラスと着脱可能な遮光ガラス押えと防護面の下方、表側に突き出るように、操作レバーを設け遮光ガラスの水平方向下部に空間を明けてあるスライドフレームを押し下げる復帰バネを設け、防護面４の裏側に装着したものであり、これによれば、ハンドルを片手で握り、操作レバーの下部一端を手指にて軽く押し上げることで、のぞき窓より溶接物及び溶接箇所が要易に確認でき、溶接開始のとき手指の力を抜くか、はなすことで、防護面を顔面よりそらすことなく、安全かつ能率よく正確に溶接作業ができる、とされる。
【０００３】
しかしながら上記従来の溶接面を用いた溶接作業は、依然、片手で溶接防護面の支持棒を支持しながら溶接するものであった。
【０００４】
これに対して溶接作業時の簡便性にかんがみて、ヘルメット等を介して頭部に溶接防護面を着用して溶接するものが開示される（特許文献２参照）。このような着用機能を有する溶接防護面としては、例えばヘルメットへの固定ベルトを回動可能に具備したものが存在する。
【先行技術文献】
【特許文献】
【０００５】
【特許文献１】特開平８−２５２２７８号公報
【特許文献２】特開平１０−２３４７７１号公報
【考案の概要】
【考案が解決しようとする課題】
【０００６】
しかし上記ヘルメット取り付け機能を有する溶接防護面は、手で溶接面を支持する必要がないため両手での作業が可能となる一方で、溶接個所に応じた位置調節や、装着者に対する位置ズレの調節が困難であった。
【０００７】
そこで本考案では、手で溶接面を支持する必要がなく両手での作業を可能とし、かつ、不要な位置ズレの発生を防ぎ、また溶接個所に応じた位置調節を容易に行うことのできる防護面ホルダー及びこれを備えた溶接防護構造を提供することを課題とする。
【課題を解決するための手段】
【０００８】
上記課題を解決すべく以下（１）〜（５）の手段を講じている。
（１）本考案の防護面ホルダーは、
溶接作業箇所に自立設置する自立架台１と、
防護面４の上部にて面の幅方向に沿う回転軸２２Ａを中心として、防護面４を転回可能に支持する支持構造２と、
支持構造による防護面４の支持角度を、防護面４の使用状態及び非使用状態の少なくとも２つの状態に対応した支持角度を保持するための角度保持構造３とを具備してなることを特徴とする。
（２）角度保持構造３は、回転軸２２Ａの少なくとも片側の端部付近から突出した折曲片からなり、折曲片の両側部がそれぞれ防護面４の表面及び裏面に当接することで、使用状態、非使用状態の２状態での支持角度を保持することが好ましい。
（３）支持構造２は、回転軸２２を略水平方向に保持する水平保持機構と、水平保持機構を下方から支持する下方支持機構とからなり、下方支持機構は自立架台に対して第二角度保持構造３２を介して角度調整可能に取り付けられることが好ましい。
（４）自立架台１は設置面に静止して固定される設置面固定手段を有することが好ましい。
（５）本考案の溶接防護構造は、前記いずれか防護面ホルダーと溶接防護面４とを備えてなる。
【考案の効果】
【０００９】
本考案では上記手段を講じることで、そこで本考案では、手で溶接面を支持する必要がなく両手での作業を可能とし、かつ、不要な位置ズレの発生を防ぎ、また溶接個所に応じた位置調節を容易に行うことのできる防護面ホルダー及びこれを備えた溶接防護面４を提供するものとなった。
【図面の簡単な説明】
【００１０】
【図１】実施例１の防護面ホルダーの使用状態の側面図。
【図２】実施例１の防護面ホルダーの非使用状態の側面図。
【図３】実施例２の防護面ホルダーの第二状態の斜視説明図。
【図４】実施例２の防護面ホルダーの第一状態の斜視説明図。
【図５】実施例３の防護面ホルダーの第二状態の斜視説明図。
【図６】実施例３の防護面ホルダーの第一状態の斜視説明図。
【考案を実施するための形態】
【００１１】
以下本考案を実施するための形態例につき実施例として示す説明図と共に説明する。本考案は防護面４を保持固定する防護面ホルダー、乃至、当該防護面ホルダーに溶接用の防護面４を取り付けた溶接防護構造（図１〜図６）からなる。本考案の防護面ホルダーは、少なくとも架台として自立載置する自立架台１と、自立架台１の上部にて防護面４を支持する支持構造２と、防護面４の保持角度を使用時、非使用時に対応した所定角度にそれぞれ保持し得る角度保持構造３とを具備してなり、防護面４を所定の支持角度で支持したうえでホルダー自体或いは構造自体が自立するものであり、支持構造２の回転軸２２Ａ回りに防護面を転回させることで、使用時と非使用時の各支持角度を容易に切り替えることができる。
【実施例１】
【００１２】
図１，２に示す実施例１の防護面ホルダーは、土台となる円板プレート１０の上に固定されて立設したアームを有する自立架台１と、防護面４の上部にて防護面４を転回可能に支持する支持構造２と、支持構造による防護面４の支持角度を、防護面４の使用状態及び非使用状態の少なくとも２つの状態に対応した支持角度を保持するための角度保持構造３とを具備してなる。
【００１３】
（自立架台１）
自立架台１は、設置面に接地する接地部（１０，１１，１４）と、固定構造１３によって接地部に上部固定されて上方延伸する延伸部１２とを有して自立設置される。実施例１では扁平円柱状の円板プレート１０と、円形プレート１０の中央位置から鉛直上方へ伸長した薄板プレート状の延伸部１２とが一体的に構成されてなる。
【００１４】
（支持構造２）
支持構造２は、回転軸２２Ａを略水平方向に保持する水平保持機構２２と、水平保持機構２２を下方から支持する下方支持機構２１とからなり、下方支持機構２１は自立架台１２に対して第二角度保持構造３２を介して角度調整可能かつ伸長可能に取り付けられる。下方支持機構２１は具体的には下端付近から伸長方向に沿って伸長する長さ調節用の伸長孔２１ｈを有し、この伸長孔２１ｈ内に第二角度保持構造３２の保持軸３２Ａが挿通した状態でカバープレート３２Ｄによって片面側が保護され、保持軸３２Ａの当該片面側の軸端に保持ボルト３２Ｂが取り付けられ、カバープレ−ト３２Ｄと保持ボルト３２Ｂとの間には、保持軸３２Ａの周囲にレバー３２Ａが周着固定される。ここで、レバー３２Ｃは前記保持ボルト３２Ｂによって保持軸３２Ａと同軸回転可能に保持固定される。保持軸３２Ａは、前記延伸部１２の上端部の取り付け孔内に螺着して、カバープレート３２Ｄで覆われた下方支持機構２１の保持孔２１ｈ部分を挟持する。
【００１５】
下方支持機構２１は上端に向かって細く形成され、上端に設けられた螺子孔に水平軸２２Ａが螺着され、水平固定ボルト２２Ｂによって水平軸２２Ａが略水平に固定される。
【００１６】
（角度保持構造３）角度保持構造３は、回転軸２２Ａの少なくとも片側の端部付近であって、防護面４の取り付け箇所の片端付近から所定の取り付け角度でそれ自体の基部が水平軸２２Ａから突出するように固定され、それ自体の先部が防護面の幅方向中央側へ折れ曲がった板状の折曲片３１からなり、基部は側面視にて所定の角度となるように設置され、折曲片３１の略Ｌ字状の両側面がそれぞれ防護面４の表面に当接することで、使用状態Ｓ１、非使用状態Ｓ２の２状態での支持角度を保持する（図１、図２）。
【００１７】
水平軸２２Ａは円筒状の水平保持枠２３内に遊挿され、水平保持枠２３は水平軸２２Ａの周囲にて回転可能となり、この水平保持枠２３が防護面４の上部に固定されることで、防護面４が水平軸２２Ａ周りで回転可能に支持される。
【００１８】
（防護面４）
防護面４は上記防護面ホルダーに取り外し可能に取り付けられる。実施例の防護面４は緑色の着色透明板４０の両側部４０Ｓが斜めに折れ曲がってなる屈曲透明板の表面の略中央高さの位置に、黒色の防眩板４１が貼着固定される。防眩板４１は着色透明板４０に沿って両側部が折れ曲がり、着色透明板４０の両端付近を除く幅方向の大部分に亘って着色透明板４０を覆う。使用状態の第一保持角度において、溶接時の発光部がこの防眩板４１と重なるように位置調節することで、溶接時の防眩機能を確実に果たすものとなる。
【００１９】
防護面４の上部の表面には着色透明板４０にそって屈曲した細幅の保持板４２が固定され、この保持板４２のうち両側部を除く中央部に沿って、固定プレート４３が取り外し可能にボルト固定される。この固定プレート４３の表部には水平保持枠２３が固設されてなり、水平保持枠２３の水平軸２２Ａ周りの遊挿回転と共に固定プレート４３が転回する（図１、２）。
【００２０】
使用状態では固定プレート４３の表面が下方保持機構２１側である斜め後下方（図１の左下方向）を向き、基部が斜め前下方を向いた折曲片３２の下側部と、固定プレート４３下部の着色透明板４０とが当接する（図１）。非使用位置にまで転回したとき、固定プレート４３の表面が上方を向き（図２）、折曲片３２の下側部が当該表面に当接する。どちらの状態でも、防護面の自重によって折曲片３２にモーメントがかかり、第一保持角度、第二保持角度で防護面４を安定的に保持することができる。
【実施例２】
【００２１】
図３，４に示す実施例２の防護面ホルダーは、主に作業面等の金属製テーブル上またはテーブルに載置された金属製プレート上に電磁固着して使用するもので、土台となる立方体形状の電磁誘導体の上に固定されて立設したアームを有する自立架台１と、
防護面４の上部にて防護面４を転回可能に支持する支持構造２と、
支持構造による防護面４の支持角度を、防護面４の使用状態及び非使用状態の少なくとも２つの状態に対応した支持角度を保持するための角度保持構造３とを具備してなる。
【００２２】
実施例２の自立架台１はマグネットベース１１の強磁レバー１１Ｌを倒して磁着作動させることで、金属製の設置面に静止して固定される設置面固定手段を有する。
【００２３】
また実施例２の折曲片２３は、基部が作業者に対して斜め後上方を向くように突出調整され、使用時には折曲片２３の斜後方を向く上側部に沿って防護面４が当接し、防護面４の下部を水平軸２２Ａとして防護面４が斜め後ろ上方へ傾斜配置された第二状態Ｓ２で保持される（図３）。
【００２４】
ここで防護面４の着色透明板４０の片側部上面には、折曲片３１の当接位置に対応して横長矩形の保護プレート４４が固着されており（図４）、図３の第二状態Ｓ２ではこの保護プレート４４の表面に折曲片３１の側部が当接して着色透明板４０を保護している。
【００２５】
第二状態Ｓ２から防護面を水平軸２２Ａ周りに手前側へ落として略１８０度転回させることで、防護面４が裏返り、防護面上部で水平保持された第一状態Ｓ１となる（図４）。実施例２ではこの第一状態、第二状態のいずれを使用状態としてもよい。
【実施例３】
【００２６】
図５，６に示す実施例３の防護面ホルダーは、主に作業床上に載置して使用するもので、土台となる平面視略コ字形の金属製平面板上に電磁固着された立方体形状の電磁誘導体の上に固定されて立設した伸長可能なアームを有する自立架台１と、
防護面４の上部にて防護面４を転回可能に支持する支持構造２と、
支持構造による防護面４の支持角度を、防護面４の使用状態及び非使用状態の少なくとも２つの状態に対応した支持角度を保持するための角度保持構造３とを具備してなる。
【００２７】
本実施例の自立架台１の構造は、実施例２の防護面ホルダーの下部に、土台板として金属製の薄板を電磁密着したものである。また実施例３は防護面の両側部４０Ｓ付近から着色透明板４０の中央寄りに向かって折曲した一対の折曲片が対向設置される。
【００２８】
そして本考案の溶接防護構造は、前記いずれか防護面ホルダーと溶接防護面４とを備えてなる。その他本考案は上述した実施例の構成に限られることなく本考案の趣旨を逸脱しない範囲で、一部構成要素の抽出、実施例間の構成要素の組み換えあるいは組み合わせ、一部構成要素の省略或いは置換等といった、適宜の変更が可能である。
【符号の説明】
【００２９】
１  自立架台
２  支持構造
２１  下方支持機構
２２  水平保持機構
２２Ａ  回転軸
２３  水平保持枠
３  角度保持構造
３１  折曲片
３２  第二角度保持構造
４  防護面
６  防護面ホルダー
７  金属製プレート
１０  円板
Ｓ１  使用状態
Ｓ２  非使用状態
【図１】
0003165947.tif 000003
【図２】
0003165947.tif 000004
【図３】
0003165947.tif 000005
【図４】
0003165947.tif 000006
【図５】
0003165947.tif 000007
【図６】
0003165947.tif 000008